(57)【要約】      （修正有）【課題】棚板の抜け止めの為の手段を予め設けて、装着作業を簡単にする。【解決手段】壁面に直接乃至間接的に取り付けるための取付部と、棚板を載置するための棚受部とから成る棚受装置１であって、取付部の垂直片２−１上端には棚受部の水平片３−１と平行な縁取り片２−２を形成して水平片と縁取り片との間で棚板の端部を挟持させるように構成し、縁取り片の下面には棚板の上面に形成された溝に嵌合する突条２−２ａを長手方向全長に亘って形成すると共に、棚受部の水平片の延長部を壁面方向に向かって下がるような傾斜面３−１ａとしていることを特徴とする。【選択図】図１
2005137827.tif 000002
【特許請求の範囲】
【請求項１】
壁面Ｗに直接乃至間接的に取り付けるための取付部２と、棚板Ｔを載置するための棚受部３とから成る棚受装置１であって、取付部２の垂直片２−１上端には棚受部３の水平片３−１と平行な縁取り片２−２を形成して水平片３−１と縁取り片２−２との間で棚板Ｔの端部を挟持させるように構成し、縁取り片２−２の下面には棚板Ｔの上面に形成された溝Ｔ−１に嵌合する突条２−２ａを長手方向全長に亘って形成すると共に、棚受部３の水平片３−１の延長部を壁面Ｗ方向に向かって下がるような傾斜面３−１ａとしていることを特徴とする棚受装置。
【請求項２】
請求項１記載の棚受装置１において、取付部２と棚受部３を一体成形してあることを特徴とする請求項１記載の棚受装置。
【請求項３】
請求項１記載の棚受装置１において、取付部２と棚受部３を固定ネジａにて緊締することによって一体化することを特徴とする請求項１記載の棚受装置。
【請求項４】
請求項１記載の棚受装置１において、取付部２と棚受部３を高さ調節ネジｂによって上下スライドできる状態で一体化することを特徴とする請求項１記載の棚受装置。
【請求項５】
壁面Ｗに直接取り付けるための取付部２と、棚板Ｔを載置するための棚受部３とから成る棚受装置１であって、取付部２の垂直片２−１上端には棚受部３の水平片３−１と平行な縁取り片２−２を形成して水平片３−１と縁取り片２−２との間で棚板Ｔの端部を挟持させるように構成し、縁取り片２−２の下面には棚板Ｔの上面に形成された溝Ｔ−１に嵌合する突条２−２ａを長手方向全長に亘って形成すると共に、取付部２と棚受部３を高さ調節ネジｂによって上下スライドできる状態で一体化することを特徴とする棚受装置。
【請求項６】
請求項１、２、３、４、５記載の棚受装置１において、棚受装置１を壁面Ｗに間接的に取り付ける手段として、壁面Ｗに敷設されたレールＲに取付部２を装着することを特徴とする請求項１、２、３、４、５記載の棚受装置。
【発明の詳細な説明】
【技術分野】
【０００１】  本発明は、壁面に直接乃至間接的に取り付けて使用する棚受装置に関するものである。
【背景技術】
【０００２】  従来から壁面に直接或いは壁面に敷設されたレールに取り付けて棚板の一端を支持するようにした棚受装置は公知であるが、これらの棚受装置にあっては、棚板の一端だけを挟着するだけのものであったため、棚板上の物品を降ろすときに物品をそのまま横に引っ張って棚板が抜けて脱落する事故が起きるという問題点があった。
【発明の開示】
【発明が解決しようとする課題】
【０００３】  従来のこの種の棚受装置にあっては、棚板の抜け止め手段として棚板を棚受金具に釘等で止めたり、棚板の側端部を棚受金具に形成された楔状の舌片に打ち込んだりしていたが、棚板の棚受装置への装着作業が面倒であるという問題点があった。【０００４】  本発明は、上記従来技術の問題点を解決するために、棚板の抜け止めのための手段を予め設けた棚受装置を提供することを目的とするものである。
【課題を解決するための手段】
【０００５】  本発明に係る棚受装置の請求項１の発明は、壁面に直接乃至間接的に取り付けるための取付部と、棚板を載置するための棚受部とから成る棚受装置であって、取付部の垂直片上端には棚受部の水平片と平行な縁取り片を形成して水平片と縁取り片との間で棚板の端部を挟持させるように構成し、縁取り片の下面には棚板の上面に形成された溝に嵌合する突条を長手方向全長に亘って形成すると共に、棚受部の水平片の延長部を壁面方向に向かって下がるような傾斜面としていることを特徴とし、請求項２の発明は、請求項１記載の棚受装置において、取付部と棚受部を一体成形していることを特徴とし、請求項３の発明は、請求項１記載の棚受装置において、取付部と棚受部を固定ネジにて緊締することによって一体化することを特徴とし、請求項４の発明は、請求項１記載の棚受装置において、取付部と棚受部を高さ調節ネジによって上下スライドできる状態で一体化することを特徴とし、請求項５の発明は、壁面に直接乃至間接的に取り付けるための取付部と、棚板を載置するための棚受部とから成る棚受装置であって、取付部の垂直片上端には棚受部の水平片と平行な縁取り片を形成して水平片と縁取り片との間で棚板の端部を挟持させるように構成し、縁取り片の下面には棚板の上面に形成された溝に嵌合する突条を長手方向全長に亘って形成すると共に、取付部と棚受部を高さ調節ネジによって上下スライドできる状態で一体化することを特徴とするものである。
【発明の作用】
【０００６】  請求項１、２、３、４の発明では、縁取り片の下面に棚板の上面に形成された溝に嵌合する突条を長手方向全長に亘って形成し、棚受部の水平片の延長部を壁面方向に向かって下がるような傾斜面としているので、棚板を、棚受部の水平片の傾斜面を利用して棚受部の水平片と縁取り片の間に斜めの状態で差し入れ、この棚板を水平状態にすることによって縁取り片の下面の突条が棚板の上面に形成された溝に嵌合して抜け止めがなされる。
【０００７】  請求項５の発明では、縁取り片の下面に棚板の上面に形成された溝に嵌合する突条を長手方向全長に亘って形成し、取付部と棚受部を高さ調節ネジによって上下スライドできる状態で一体化するようにしてあるので、請求項１、２、３、４のように棚受部の水平片の延長部を壁面方向に向かって下がるような傾斜面を形成していなくても棚板を棚受部に載せた状態で高さ調節ネジで棚受部を押し上げることによって縁取り片の下面の突条が棚板の上面に形成された溝に嵌合して抜け止めがなされる。
【発明を実施するための最良の形態】
【０００８】  本発明装置の実施の形態を実施例について具体的に説明する。
【実施例１】
【０００９】  図１は、取付部と棚受部を一体成形して壁面へ直接取り付けるタイプの請求項２に対応する本発明装置の斜視図、図２は、同装置を壁面に取り付けた状態で、棚板を装着する手順を説明する側面図、図３は、棚板を装着した状態の側面図である。【００１０】  図において、１は、壁面Ｗに取り付けるための取付部２と、棚板Ｔを載置するための棚受部３とを一体成形した本発明に係る棚受装置であって、取付部２の壁面Ｗに面接する垂直片２−１には棚受部３の水平片３−１と平行な縁取り片２−２を形成して水平片３−１と縁取り片２−２との間で棚板Ｔの端部を挟持させるように構成されており、取付部２の縁取り片２−２の下面には棚板Ｗの上面に形成された溝Ｗ−１に嵌合する突条２−２ａが長手方向全長に亘って形成され、棚受部３の水平片３−１の延長部は壁面方向に向かって下がるような傾斜面３−１ａとなっている。【００１１】  図中、３−３は、水平片３−１の下面を隠すための覆片で、棚受部３の体裁を整えるために平板状にしたり、湾曲状にしたりするようにしてある。【００１２】  次に、請求項２に対応する本発明装置の具体的構成を説明する。【００１３】  先ず、棚受部３と一体の取付部２を壁面Ｗの所定箇所にネジで取り付け、図２のように棚板Ｔの端部を棚受部３の傾斜面３−１ａに沿うようにして縁取り片２−２との間に差し入れ、棚板Ｔを棚受部３の水平片３−１に載るように押し下げて図３の状態にしてやれば、棚板Ｔの上面の溝Ｔ−１に縁取り片２−２下面の突条２−２ａが嵌合して係止するため、棚板Ｔを水平方向に引いても抜け落ちることがない。
【実施例２】
【００１４】  図４は、取付部と棚受部を固定ネジにて緊締することによって一体化して壁面へ直接取り付けるタイプの請求項３に対応する本発明装置の斜視図、図５は、同装置を壁面に取り付けた状態で、棚板を装着する手順を説明する側面図、図６は、棚板を装着した状態の側面図である。【００１５】  上記棚受装置１においては、取付部２の垂直片２−１の少なくとも左右両端及び中央の三箇所に固定ネジａが挿通される縦長の長孔２−１ａが形成され、且つ、棚受部３の垂直片３−２の少なくとも前記垂直片２−１の長孔２−１ａに対応する箇所に固定ネジａが挿通される丸孔３−２ａが形成されており、取付部２の長孔２−１ａから挿通された固定ネジａを棚受部３の丸孔３−２ａに挿通して取付部２の縁取り片２−２と棚受部３の水平片３−１との間隔が棚板Ｗの厚みとなるようにずらせてその箇所で固定ネジａをナットに締着して取付部２と棚受部３を一体化するものであり、実施例１との相違点は、実施例１では取付部２と棚受部３が一体成形されているので、取付部２の縁取り片２−２と棚受部３の水平片３−１の間隔を変えられず、決まった厚さの棚板Ｗにしか対応できないが、実施例２では取付部２と棚受部３が分離され、固定ネジａで一体化するものであるから、棚板Ｗの厚みに応じて取付部２の縁取り片２−２と棚受部３の水平片３−１の間隔が自在に変えられ、どのような厚みの棚板にも対応できる利点がある。
【実施例３】
【００１６】  図７は、取付部と棚受部を高さ調節ネジによって上下スライドできる状態で一体化するようにしてあるタイプの請求項４に対応する本発明装置の斜視図、図８は、同装置を壁面に取り付けた状態で、棚板を装着する手順を説明する側面図、図９は、棚板を装着した状態の側面図である。【００１７】  この実施例３と実施例２の構成上の相違点は、取付部２の垂直片２−１の下端に水平の折曲片２−３を形成してこの折曲片２−３の少なくとも左右両端及び中央の三箇所に高さ調節ネジｂが螺合する螺子孔２−３ａを形成し、棚受部３の覆片３−３の水平部の前記折曲片２−３の螺子孔２−３ａに対応する箇所に高さ調節ネジｂが挿通される丸孔３−３ａが形成されている点であって、丸孔３−３ａに挿通させた高さ調節ネジｂを折曲片２−３の螺子孔２−３ａに螺合させてドライバーで螺回することによって取付部と棚受部を高さ調節ネジによって上下スライドできる状態で一体化するものである。【００１８】  この場合も、実施例１、２の場合と同じく図８のように棚板Ｔの端部を棚受部３の傾斜面３−１ａに沿うようにして縁取り片２−２との間に差し入れ、図９のように棚板Ｔを棚受部３の水平片３−１に載るように押し下げてやれば、棚板Ｔの上面の溝Ｔ−１に縁取り片２−２下面の突条２−２ａが嵌合して係止するため、棚板Ｔを水平方向に引いても抜け落ちることがないものであるが、棚受装置１を壁面Ｗに取り付けた後であっても高さ調節ネジｂを操作することによって取付部２の縁取り片２−２と棚受部３の水平片３−１の間隔を自在に調節できるので、棚受装置１を壁面Ｗに取り付ける際には実施例１の場合のように縁取り片２−２と水平片３−１の間隔を厳密に決めなくてもよく、図８の状態で棚板Ｔと縁取り片２−２の間に隙間が開いていれば高さ調節ネジｂを操作することによって棚受部３を押し上げて棚板Ｔを挟着することができて便利であり、棚板Ｔを強い力で挟着できるので、棚板Ｔを水平状態に保持する役割を十分果たせるものである。
【実施例４】
【００１９】  図１０は、取付部と棚受部を高さ調節ネジによって上下スライドできる状態で一体化するようにしてあるタイプの請求項５に対応する本発明装置の棚板を装着した状態の側面図である。【００２０】  この実施例４と実施例３の構成上の相違点は、実施例３では棚受部３には水平片３−１の延長部に傾斜面３−１ａがあるが、この実施例３の棚受部３には傾斜面３−１ａがないため、棚板Ｔを装着する際には、棚受部３の水平片３−１と縁取り片２−２との間に突条２−２ａに当接しないように水平方向から差し入れなければならないので、予め水平片３−１と縁取り片２−２の間隔を大きくしておかなけらばならないが、実施例３で説明したように高さ調節ネジｂを操作することによって棚受部３を押し上げて棚板Ｔを挟着することができ、且つ、棚板Ｔを強い力で挟着できるので、棚板Ｔを水平状態に保持する役割を十分果たせることができるものである。
【実施例５】
【００２１】  図１１は、請求項１、２、３、４、５記載の棚受装置１において、棚受装置１を壁面Ｗに間接的に取り付ける手段として、壁面Ｗに敷設されたレールＲに取付部２を装着する手段を採用した請求項６に対応する本発明装置の棚板を装着した状態の側面図である。【００２２】  この棚受装置１においては、壁面Ｗに直接取り付けるのではなく、ボードＢを張って壁面を隠しながら棚受装置１を取り付けるためのレールＲを壁面に敷設し、このレールＲに棚受装置１の取付部２の一部を嵌着して取り付けるものであって、実施例２の棚受装置１の取付部２の垂直片２−１の上端に嵌合片２−３を形成し、この嵌合片２−３をレールＲの前方に開く溝に回転させながら差し入れることによって取り付けるものである。【００２３】  この取付手段によれば、棚受装置１を壁面Ｗにネジ等で直接取り付けるのではないため、棚受装置の着脱が容易であり、内装工事中にはレールＲだけを敷設しておき、工事完成後に装置すればよいので、他の作業や室内装置品の搬入の邪魔にならず、施工後不都合が生じたときには簡単に取り外せて修正することも可能であり、特に、取り付ける前に取付部２と棚受部３を固定ネジａで緊締して一体化する実施例２のような壁面に直接取り付けるタイプの棚受装置では壁面に取り付けた後は縁取り片２−２と水平片３−１の間隔を変えることができないので、木製の棚板の場合のように、長期の使用により乾燥して厚みが薄くなって縁取り片２−２と棚板Ｗの間に隙間が生じても棚受装置自体を壁面から取り外さなければ修正できないが、レールを介して間接的に取り付ける手段を採用すれば、簡単に棚受装置自体を取り外せて便利であり、この実施例２つまり請求項３に限らず請求項１、２、４、５の棚受装置に適用できることは勿論である。
【発明の効果】
【００２４】  以上述べた如く、本発明の請求項１に係る棚受装置によれば、縁取り片の下面に棚板の上面に形成された溝に嵌合する突条を長手方向全長に亘って形成し、棚受部の水平片の延長部を壁面方向に向かって下がるような傾斜面としているので、棚板を、棚受部の水平片の傾斜面を利用して棚受部の水平片と縁取り片の間に斜めの状態で差し入れ、この棚板を水平状態にすることによって縁取り片の下面の突条が棚板の上面に形成された溝に嵌合して抜け止めがなされ、物品を降ろすときに棚板が外れて脱落するようなことがなく、安全で且つ体裁の良い棚受装置を提供することができるものである。
【００２５】  また、本発明の請求項５に係る棚受装置によれば、縁取り片の下面に棚板の上面に形成された溝に嵌合する突条を長手方向全長に亘って形成し、取付部と棚受部を高さ調節ネジによって上下スライドできる状態で一体化するようにしてあるので、請求項１、２、３のように棚受部の水平片の延長部を壁面方向に向かって下がるような傾斜面を形成していなくても棚板を棚受部に載せた状態で高さ調節ネジで棚受部を押し上げることによって縁取り片の下面の突条が棚板の上面に形成された溝に嵌合して抜け止めがなされ、物品を降ろすときに棚板が外れて脱落するようなことがなく、また、棚板Ｔを強い力で挟着できるので、棚板Ｔを水平状態に保持する役割を十分果たせることができるものである。
【図面の簡単な説明】
【図１】  取付部と棚受部を一体成形して壁面へ直接取り付けるタイプの請求項２に対応する本発明装置の斜視図である。
【図２】  同装置を壁面に取り付けた状態で、棚板を装着する手順を説明する側面図である。
【図３】  棚板を装着した状態の側面図である。
【図４】  取付部と棚受部を固定ネジにて緊締することによって一体化して壁面へ直接取り付けるタイプの請求項３に対応する本発明装置の斜視図である。
【図５】  同装置を壁面に取り付けた状態で、棚板を装着する手順を説明する側面図である。
【図６】  棚板を装着した状態の側面図である。
【図７】  取付部と棚受部を高さ調節ネジによって上下スライドできる状態で一体化するようにしてあるタイプの請求項４に対応する本発明装置の斜視図である。
【図８】  同装置を壁面に取り付けた状態で、棚板を装着する手順を説明する側面図である。
【図９】  棚板を装着した状態の側面図である。
【図１０】  取付部と棚受部を高さ調節ネジによって上下スライドできる状態で一体化するようにしてあるタイプの請求項５に対応する本発明装置を壁面に取り付けた状態で、棚板を装着した状態の側面図である。
【図１１】  請求項１、２、３、４、５記載の棚受装置において、棚受装置を壁面に間接的に取り付ける手段として、壁面に敷設されたレールに取付部を装着する手段を採用した請求項６に対応する本発明装置を壁面に取り付けた状態で、棚板を装着した状態の側面図である。
【符号の説明】
１      棚受装置
２      取付部
３      棚受部
【図１】
2005137827.tif 000003
【図２】
2005137827.tif 000004
【図３】
2005137827.tif 000005
【図４】
2005137827.tif 000006
【図５】
2005137827.tif 000007
【図６】
2005137827.tif 000008
【図７】
2005137827.tif 000009
【図８】
2005137827.tif 000010
【図９】
2005137827.tif 000011
【図１０】
2005137827.tif 000012
【図１１】
2005137827.tif 000013